(57)【要約】      （修正有）【課題】墨だし作業を迅速、確実、に一人で実施できる墨つぼ糸の先端固定具を手軽な価格で提供する。【解決手段】墨つぼから繰り出された累糸の緊張により移動しない程度の重量を備えた胴体部を形成し、胴体部の周縁に足を周節し、足に墨糸の先端を固定する括れを形成する。足は、ビスまたはボルトナットなどで本体の胴体部から付け外しが可能な構成である。【選択図】図１
0003182028.tif 000002
【実用新案登録請求の範囲】
【請求項１】
本体の胴体部は、上部に括れのある円柱形し、足先に結びつけた墨つぼの糸を弾いても動かない程度の重さにし、胴体部の材質は比重の大きな金属で作り、胴体の外側に適当な長さの鋭く尖った足を均等に三本取り付けその中の一本の足先に墨つぼの糸先端を結ぶための括れ、これらの形成を特徴とする墨つぼ糸の先端固定具。
【請求項２】
胴体の外側に取り付けた足は、取り付けネジの横にきれつを作りネジを少し緩めだけで足が外れる。コンクリートの壁などに墨線を出す場合、墨つぼ糸を結び付けている足をそのままハンマーで軽く打ちつけば、コンクリート用カルコとして使用できることを特徴とする墨つぼ糸の先端固定具。
【考案の詳細な説明】
【技術分野】
【０００１】本発明は、コンクリートなどの硬い床面に一人で墨出し作業を容易に行うための墨つぼ糸の先端固定具に関する。
【背景技術】
【０００２】従来の一人での墨出し作業では、墨つぼ糸の先端を固定する際、糸の先端方向のポイントに針のついた摘み、カルコ、と言う物を突き刺して固定し、墨つぼ側の糸元を墨つぼ側のポイントに合わせ、糸を弾いて墨線を出している。【０００３】ところが、カルコ、と言うものは、木材用のものであって、コンクリートなどの硬い。物には、突き刺して糸先を固定することが出来ないため、糸先をコンクリート釘に結び付け、ハンマーで叩き込んで固定するか、適当な錘を探し、糸先を錘で押さえ込んで一人での墨出し作業を行っていた。【０００４】多くの墨出し作業を行う場合は、上文の方法では効率がわるいので、糸先をポイントに合わせる人をたのんで、二人一組で墨出し作業を行っていた。
【先行技術文献】
【特許文献】
【０００５】
【特許文献１】  特許第３４４３７６９号（特開２００１−２６００５４）
【特許文献２】  特開２００１−０５６２２３
【特許文献３】  特開平１０−０３４５６８
【特許文献４】  特開平０９−０９４７７７
【特許文献５】  実開平０６−０２８１１４
【特許文献６】  実開平０３−０２９２８２
【特許文献７】  実開平０２−１３５１８７
【特許文献８】  実開昭６１−０５０６８１
【考案の概要】
【考案が解決しようとする課題】
【０００６】墨だし作業を素早く行うために、片手に墨つぼを持ったまま、もう一方のかたてだけで、ポイントに素早く確実に、糸先を固定できること。【０００７】壁際の元から墨線を出せること。また壁際に沿って墨線を出せること。【０００８】糸先を取り付けた足がどの位置にあっても，墨つぼ糸をどの方向に強く弾いた場合にも  墨つぼ糸の先端固定具がずれないこと。【０００９】特にコンクリートの壁際の床面などは、コンクリートのはみ出し物や小石などがく、この様な凸凹な床面でも対応出来る物。【００１０】床面の段差、床上転がし配管、配線などの狭い場所にも対応出来る物。
【課題を解決するための手段】
【００１１】三本の足を共に鋭く尖らせることで、コンクリートの床面に引っかかる様な大きな摩擦力になり本体の小型化と、重量の軽減になる。また小型化と軽量化が可能になった事により、墨つぼを持ったままもう片方手で、墨つぼ糸の先端固定具を操作ができ糸を張った状態で糸の付いた足先をポイントに正確に素早く合わせる事ができる。【００１２】適当な細長い足を胴体の外側に取り付けることにより、凸凹な床面での安定、壁際や狭い場所の作業でも可能である。また、壁際の元から墨線を出す場合などは、床面に付けたポイントが本体の下の場所になるが、細長い足のため本体の下の床面を覗き、ポイントを確認しながら合わせることができる。
【考案の効果】
【００１３】以上の説明をしてきた様に、本考案の、墨つぼ糸の先端固定具は、多様の課題に対応でき、容易で迅速な、一人での墨だし作業可能になり、大幅な人件費の削減になる。また簡素な構造にでき、操作も簡単で、手軽な価格で提供できる。
【図面の簡単な説明】
【００１４】
【図１】本考案の墨つぼ糸の先端固定具の全体図
【図２】符号６の部分の拡大図
【図３】胴体からはずした足をコンクリート用カルコとして使用している図
【考案を実施するための形態】
【００１５】以下、本考案の実施の状態を図１の符号順に説明する。
【実施例】
【００１６】符号１、本体の胴体部で、糸を強く引いてもずれない程度の重さで、比重の大きな金属で作成し小型化に努めたものにしている。【００１７】符号２、本体を持ち易くするための、胴体部のくびれの形状にしている。【００１８】符号３、胴体部の外側に足を取り付けた状態、足先を少し胴体より開いた形状にすることにより本体の安定性が増し、壁際の作業も容易になる。床面に付けたポイントが本体の下にあっても見やすく、糸先をポイントに、合わせ易くするため、適度な足の長さにしてある。【００１９】符号４、足を取り外しの可能なネジにしている。【００２０】符号５、ネジを少し緩めるだけで足を付けたり外したりするための、ネジ穴の横に作ったきれめ入れた。【００２１】符号６、足先に結び付けたいと先が、ずれなくするために、足先に括れを付けた。
【産業上の利用可能性】
【００２２】従来のコンクリートなどの硬い床面の墨だし作業では、容易に糸先を固定できなく、二人での作業が一般的であったが、本考案の墨つぼ糸の先端固定具を使用すれば、迅速に、かつ、確実に一人での墨だし作業が可能になる。
【符号の説明】
【００２３】符号１  胴体
符号２  胴体のくびれ
符号３  胴体の外側に取り付けた足
符号４  足を取り付けるネジ
符号５  ネジを緩めるだけで、足を付け外し出来るための切れ目
符号６  足先に糸を結びつけるためのくびれ
【図１】
0003182028.tif 000003
【図２】
0003182028.tif 000004
【図３】
0003182028.tif 000005
【手続補正書】
【提出日】平成24年7月19日(2012.7.19)
【手続補正１】
【補正対象書類名】実用新案登録請求の範囲
【補正対象項目名】全文
【補正方法】変更
【補正の内容】
【実用新案登録請求の範囲】
【請求項１】
墨つぼから繰り出された墨糸の緊張により墨つぼ糸の先端固定具本体が移動しない程度の重量を備えた質量体１を形成し、質量体１の周縁に墨つぼ糸の先端固定具本体の足に当たる３を周設し、墨糸の先端を固定する括れ６を形成したこれらのことを特徴とする墨つぼ糸の先端固定具。
【請求項２】
前記墨つぼ糸の先端固定具の足に当たる３をビスまたはボルトナットなどで本体の胴体部に当たる１からの付け外しが可能な形成にし、取り外した足３をハンマーで軽く打ち付ければコンクリート用カルコとして使用出来ることを特徴とする請求項１記載の墨つぼ糸の先端固定具。
【手続補正書】
【提出日】平成24年9月28日(2012.9.28)
【手続補正１】
【補正対象書類名】実用新案登録請求の範囲
【補正対象項目名】全文
【補正方法】変更
【補正の内容】
【実用新案登録請求の範囲】
【請求項１】
墨つぼから繰り出された墨糸の緊張により移動しない程度の重量を備えた胴体部を形成し、前記胴体部の周縁に足を周設し、前記足に、墨糸の先端を固定する括れを形成したことを特徴とする墨つぼ糸の先端固定具。
【請求項２】
前記墨つぼ糸の先端固定具の足をビスまたはボルトナットなどで本体の胴体部からの付け外しが可能な構成にしたことを特徴とする請求項１記載の墨つぼ糸の先端固定具。